(57)【要約】【課題】携帯電話端末は放射電力が大きいため、病院内など他の電子機器へ障害の恐れがある場合、あるいは、その場所に集う他人への配慮から使用を差し控えなければならない場合がある。【解決手段】携帯電話端末の使用により他の電子機器への障害が心配される主原因は放射電力であるため、携帯電話端末自体は他の電子機器へ障害の恐れのない環境に置き、携帯電話端末による通話及び通信信号のみをイーサネット（登録商標）網で伝送し、イーサネット（登録商標）網に接続され、かつ、放射電力が相対的に小さく電子機器への障害の恐れ等がないとされる無線LAN方式を用いる無線LANアクセスポイントと無線で通信することにより、携帯電話端末を経由していても大きな放射電力による障害を避け、かつ携帯電話端末使用時とほとんど遜色のない通信が可能となる。【選択図】図１
2006050239.tif 000002
【特許請求の範囲】
【請求項１】
携帯電話端末のインターフェースコネクタと接続して、発着呼制御信号、音声信号、電話番号等の内部データを抽出し、これらのデータをイーサネット（登録商標）網上で通話できるように信号を変換し、イーサネット（登録商標）網との接続を行う呼制御・音声変換アダプタを含むことを特徴とする携帯電話通話転送システム。
【請求項２】
同インターフェースコネクタで接続された携帯電話端末の固有情報と、専用無線LAN電話端末の固有情報との照合テーブルを内蔵し、接続された携帯電話端末の信号を、該当する専用無線LAN電話端末のIPアドレスに送出する機能を持った呼制御・音声変換アダプタを含むことを特徴とする携帯電話通話転送システム。
【請求項３】
同インターフェースコネクタで接続された携帯電話端末の固有情報と、専用固定IP電話端末の固有情報との照合テーブルを内蔵し、接続された携帯電話端末の信号を、該当する専用固定IP電話端末のIPアドレスに送出する機能を持った呼制御・音声変換アダプタを含むことを特徴とする携帯電話通話転送システム。
【請求項４】
イーサネット（登録商標）網に接続された呼制御・音声変換アダプタ、無線LANアクセスポイントと、無線LAN子機機能を組み込んだ専用無線LAN電話端末で構成した、携帯電話通話転送システム。
【請求項５】
イーサネット（登録商標）網に接続された呼制御・音声変換アダプタと、そのイーサネット（登録商標）網からの信号を受信して通話として成立させるための専用固定IP電話端末で構成した、携帯電話通話転送システム。
【発明の詳細な説明】
【技術分野】
【０００１】
本発明は、通話可能エリアに設置した携帯電話端末に着信した通話信号を、専用装置を介してイーサネット（登録商標）網に送出し、イーサネット（登録商標）経由で携帯電話端末が使用できないエリアに転送し、携帯電話端末が使用できないエリアでも通常の携帯電話端末とほぼ同じ利便を提供する携帯電話通話転送システムに関する。
【背景技術】
【０００２】
近年の携帯電話端末の発展、普及は非常な勢いで進んでおり、一般的にはほとんど全ての人が携帯電話端末を所有、携帯していると言っても過言ではない。
【発明の開示】
【発明が解決しようとする課題】
【０００３】
しかし、携帯電話端末は放射電力が大きいため、病院内など他の電子機器へ障害の恐れがある場合、あるいは、心臓ペースメーカーなど命に関わる電子機器を使用している人への配慮から使用を差し控えなければならない場合においては、機器の誤動作を避けるため電源をOFFにしなければならず、その環境下では一時的にしろ携帯電話端末の持ち主に対し、連絡が取れない状況となってしまう。
【０００４】
病院内では医療機器の誤動作による医療事故が考えられるため、ユーザーに対して常に警告しているが、不注意、あるいは故意にユーザーが携帯電話端末を使用してしまう、あるいは電源を切り忘れると言った事象が発生しており、一部は社会問題化している。
【０００５】
本発明は、以上のような携帯電話端末による通話システムが有していた問題を解決しようとするものであり、携帯電話端末の使用が制限されていたり、あるいは使用できない通信エリアにおいても、通常とほぼ同じ利便をユーザーに提供する事を目的とする。
【課題を解決するための手段】
【０００６】
本発明では、まず、通話可能エリアに設置した携帯電話端末に着信した通話信号を、携帯電話端末のインターフェースコネクタに接続したケーブル経由で取り出し、呼制御・音声変換アダプタに入力する。呼制御・音声変換アダプタは、内部に、携帯電話端末と接続するインターフェースコネクタ番号と専用無線LAN電話端末のIPアドレス等の固有情報を記録したテーブルを有している。このテーブルを参照し、携帯電話端末からの信号をイーサネット（登録商標）網の伝送に適した信号に変換すると共に、該当するIP アドレス等の固有情報を付加してイーサネット（登録商標）網に送出する。
【０００７】
次に、イーサネット（登録商標）網に送出された信号は、イーサネット（登録商標）網に接続され、該当するIPアドレス等を持った無線LANアクセスポイントに到達する。無線LANは人体や他の電子機器へ影響を及ぼしにくい通信方式として認められた方式である。この無線LANアクセスポイントに到達した信号は、無線LANの電波として放射される。そして、その電波を専用の無線LAN子機機能を組み込んだ専用無線LAN電話端末で受信する。以上の構成により、携帯電話端末に着信した通話や通信サービスを専用無線LAN電話端末へ伝送し、専用無線LAN電話端末で携帯電話端末と同じサービスを受けることができる。
【０００８】
また、無線を全く使用せず、イーサネット（登録商標）網に直接接続された専用固定IP電話端末により、通話や通信サービスの提供を実現することも可能である。通話可能エリアに設置した携帯電話端末に着信した通話信号を、携帯電話端末のインターフェースコネクタに接続したケーブル経由で取り出し、呼制御・音声変換アダプタに入力する。呼制御・音声変換アダプタは、内部に、携帯電話端末と接続するインターフェースコネクタ番号と専用固定IP電話端末のIPアドレス等の固有情報を記録したテーブルを有している。このテーブルを参照し、携帯電話端末からの信号をイーサネット（登録商標）網の伝送に適した信号に変換すると共に、該当するIPアドレス等の固有情報を付加してイーサネット（登録商標）網に送出する。
【０００９】
そして、イーサネット（登録商標）網に送出された信号を、イーサネット（登録商標）網に接続され、該当するIPアドレス等を持った専用固定IP電話端末で受信する。以上の構成により、携帯電話端末に着信した通話や通信サービスを専用固定IP電話端末へ伝送し、専用固定IP電話端末で携帯電話端末と同じサービスを受けることができる。
【００１０】
本発明は、前述の方法と逆の手順により、着信だけでなく発信に関しても応用することができる。また、この方式によると、外部との通信は常に携帯電話端末を利用するため電話番号の変更が不要である。
【００１１】
本発明は、イーサネット（登録商標）網の配線を延長することにより、例えば、建物を一棟丸ごと通信エリアにすることも容易である。また、イーサネット（登録商標）網においてルーターを設置、サブネットマスクを設定することにより、通話路を制限することも可能である。
【発明を実施するための最良の形態】
【００１２】
以下、本発明の実施の形態を図１、２に基づいて説明する。
【００１３】
図１において、１はユーザー個人の携帯電話端末、１１は接続ケーブル、１２は携帯電話端末からの呼制御信号、音声信号、通信データをイーサネット（登録商標）網へ中継するアダプタ(呼制御・音声変換アダプタ)、１１１はイーサネット（登録商標）網、１１２はイーサネット（登録商標）網に接続した無線LANアクセスポイント、２０１は無線LANのアクセスポイントからの信号を受信する専用無線LAN電話端末である。１に着信があると、通話に関わる信号は１１を経由して１２に入力され、２０１のIPアドレスを付与した形で着信検出信号、相手先の電話番号データ等がイーサネット（登録商標）網１１１へ送出される。１１１へ送出された信号は、１１１に接続された１１２から無線LAN方式の電波で放射され、IPアドレスが一致する２０１においてのみ復調される。ユーザーが２０１にて着信を許諾すれば着信コマンドが１１２，１１１を経由して１２に送られ、１１経由で１にオフフックさせ、呼が成立、通話開始となる。逆に２０１側から発呼する事も可能で、その場合は、２０１において発呼コマンド、相手先の電話番号データが生成され、１１２，１１１を経由して１２に送られ、１２において発元の端末のIPアドレスから接続されている携帯電話端末を参照し、参照できれば相手先の電話番号を抽出して１１経由で１へ送出して１から発呼させ、通話相手方がオフフックすればその呼が成立、通話開始となる。
【００１４】
図２において、１はユーザー個人の携帯電話端末、１１は接続ケーブル、１２は携帯電話端末からの呼制御信号、音声信号、通信データをイーサネット（登録商標）網へ中継するアダプタ(呼制御・音声変換アダプタ)、１１１はイーサネット（登録商標）網、２０２はイーサネット（登録商標）網からの信号を受信する専用固定IP電話端末である。１に着信があると、通話に関わる信号は１１を経由して１２に入力され、２０２のIPアドレスを付与した形で着信検出信号、相手先の電話番号データがイーサネット（登録商標）網１１１へ送出される。１１１へ送出された信号は、１１１に接続され、かつ、IPアドレスが一致する２０２においてのみ復調される。ユーザーが２０２にて着信を許諾すれば着信コマンドが１１１を経由して１２に送られ、１１経由で１にオフフックさせ、呼が成立、通話開始となる。逆に２０２側から発呼する事も可能で、その場合は、２０２において発呼コマンド、相手先の電話番号データが生成され、１１１を経由して１２に送られ、１２において発元の端末のIPアドレスから接続されている携帯電話端末を参照し、参照できれば相手先の電話番号を抽出して１１経由で１へ送出して１から発呼させ、通話相手方がオフフックすればその呼が成立、通話開始となる。
【産業上の利用可能性】
【００１５】
本方式は、病院内のように生命に直結した電子機器が数多く稼働していて携帯電話端末の電波が妨害を及ぼす恐れがあり、携帯電話端末の使用が禁止されたエリアにおいても、これらの機器類に妨害を与えないとされる無線LAN電波を用いて、通常の携帯電話端末に近い使い勝手を実現した携帯電話通話転送システムを構成することができる。
【００１６】
個人契約の携帯電話端末を経由して通話するシステムであるため、携帯電話端末の電話番号がそのまま使用でき、発着信双方において利便性を損なわない。
【００１７】
特定の施設内でこのシステムを使用してサービスする際、課金の必要な発呼は必ずユーザー個人契約の携帯電話端末経由であるため、キャリアへ支払う通話料金を施設側で負担することがなく、通話料金回収のトラブルが発生しない。
【００１８】
特定の施設内でこのシステムを使用してサービスする際、ユーザーが個人契約している携帯電話端末と交換に専用端末を貸し出すため、専用端末の持ち帰り事故が防げる、あるいは、事故が起こっても追跡が可能である。
【００１９】
この方式は、無線LANに限らず、PHS等放射電界強度の小さい他の無線方式でも構成することができる。
【図面の簡単な説明】
【００２０】
【図１】本発明の実施形態において、イーサネット（登録商標）網と無線LANを使用した場合の系統図である。
【図２】本発明の実施形態において、イーサネット（登録商標）網を使用した場合の系統図である。
【符号の説明】
【００２１】
１        ユーザー個人の携帯電話端末(ａ〜ｃ)
１１      接続ケーブル(ａ〜ｃ)
１２      携帯電話端末からの呼制御信号、音声信号、通信データをイーサネット（登録商標）網へ中継するアダプタ(呼制御・音声変換アダプタ、ａ〜ｃ)
１１１    イーサネット（登録商標）網
１１２    無線LANアクセスポイント(ａ〜ｃ)
２０１    専用無線LAN電話端末(ａ〜ｃ)
２０２    専用固定IP電話端末(ａ〜ｃ)
【図１】
2006050239.tif 000003
【図２】
2006050239.tif 000004